(57)【要約】【課題】  余分な光路長を必要とせず、光学部品の信頼性を確保して小型化を図ったプロジェクタを提供する。【解決手段】  光を射出する光源５１と、画像データに基づいて光源５１からの光を映像に変換する変換部５５を有する光学変換部５４と、光学変換部５４により変換された映像を拡大投写する投写レンズ５９と、光源５１または投写レンズ５９の少なくとも一方を移動して光路長を伸縮する移動部１００とを有して構成する。また、外装を構成する第１の筐体１０と、第２の筐体２０とを有し、第２の筐体２０は、移動部１００と連動して第１の筐体１０に対して移動する。【選択図】      図３
2006178138.tif 000002
【特許請求の範囲】
【請求項１】
映像を投写するプロジェクタであって、
光を射出する光源と、
画像データに基づいて前記光源からの光を映像に変換する変換部を有する光学変換部と、
前記光学変換部により変換された映像を拡大投写する投写レンズと、
前記光源または前記投写レンズの少なくとも一方を移動して光路長を伸縮する移動部とを有することを特徴とするプロジェクタ。
【請求項２】
請求項１に記載のプロジェクタであって、
外装を構成する第１の筐体と、第２の筐体とを有し、
前記第２の筐体は、前記移動部と連動して前記第１の筐体に対して移動することを特徴とするプロジェクタ。
【請求項３】
請求項１または請求項２に記載のプロジェクタであって、
前記移動部は、前記プロジェクタが映像を投写するための適正な光路長となる位置を最大伸長位置として、また、光路長を短縮する所定の位置を最大短縮位置として、前記最大伸長位置と前記最大短縮位置との間を移動することを特徴とするプロジェクタ。
【請求項４】
請求項１または請求項２に記載のプロジェクタであって、
前記移動部が前記光源及び前記投写レンズを所定の位置関係を保持した状態で固定される固定部を更に有することを特徴とするプロジェクタ。
【請求項５】
請求項３に記載のプロジェクタであって、
前記移動部が前記最大伸長位置及び前記最大短縮位置において前記光源及び前記投写レンズを所定の位置関係を保持した状態で固定される固定部を更に有することを特徴とするプロジェクタ。
【請求項６】
光を射出する光源と、
画像データに基づいて前記光源からの光を映像に変換する変換部を有する光学変換部と、
前記光学変換部により変換された映像を拡大投写する投写レンズと、
前記光源または前記投写レンズの少なくとも一方を移動して光路長を伸縮する移動部とを有することを特徴とする光学エンジンユニット。
【請求項７】
請求項６に記載の光学エンジンユニットであって、
前記移動部は、前記光学エンジンユニットが映像を投写させるための適正な光路長となる位置を最大伸長位置として、また、光路長を短縮する所定の位置を最大短縮位置として、前記最大伸長位置と前記最大短縮位置との間を移動することを特徴とする光学エンジンユニット。
【請求項８】
請求項６に記載の光学エンジンユニットであって、
前記移動部が前記光源及び前記投写レンズを所定の位置関係を保持した状態で固定される固定部を更に有することを特徴とする光学エンジンユニット。
【請求項９】
請求項７に記載の光学エンジンユニットであって、
前記移動部が前記最大伸長位置及び前記最大短縮位置において前記光源及び前記投写レンズを所定の位置関係を保持した状態で固定される固定部を更に有することを特徴とする光学エンジンユニット。
【請求項１０】
請求項６〜請求項９のいずれか一項に記載の光学エンジンユニットを有することを特徴とするプロジェクタ。
【請求項１１】
請求項６〜請求項９のいずれか一項に記載の光学エンジンユニットを有するプロジェクタであって、
前記プロジェクタの外装を構成する筐体は、第１の筐体と第２の筐体とを有し、
前記第２の筐体は、前記光学エンジンユニットの前記移動部と連動して前記第１の筐体に対して移動することを特徴とするプロジェクタ。
【発明の詳細な説明】
【技術分野】
【０００１】
本発明は、映像を投写するプロジェクタの小型化に関する。
【背景技術】
【０００２】
従来のプロジェクタは、特許文献１に記載されるように、プロジェクタを構成するディスプレイパネルを光路に対して平行となる保管位置と、光路に対して傾斜しているか、または、垂直となる操作位置との間を旋回し回転するように配置し、実質的に矩形で平らなハウジング内に収容するプロジェクタが知られている。また、プロジェクタのハウジングは、上壁及び下壁にヒンジ止めされた蓋（フラップ）を有し、蓋は、保管位置でハウジングのサイズが小さくなるように、また、操作位置でハウジング壁を超えてディスプレイパネルが拡張し開放するように配列される。また、ディスプレイパネルの旋回運動は、ディスプレイパネルが保管位置に回転されるときにハウジング内部に収縮される投射レンズの運動に連動している。
【０００３】
【特許文献１】特表２０００−５０８０８９号公報
【発明の開示】
【発明が解決しようとする課題】
【０００４】
しかしながら、特許文献１に記載される構成を採用する場合、ディスプレイパネルを保管位置に旋回し回転させた場合、ディスプレイパネルが他の光学部品と緩衝しないためのスペースが必要となる。スペースが確保されない場合には、スペースを確保するために、ディスプレイパネルと、ディスプレイパネルと干渉する光学部品との間の光路（光路長）を、本来の光学設計上必要な光路長に対して、更に伸ばすことが必要となり、プロジェクタの小型化を阻害するという課題がある。
【０００５】
また、ディスプレイパネルを操作位置に旋回し回転させた場合（プロジェクタを動作させる場合）は、上壁及び下壁にヒンジ止めされた蓋を開放させるため、プロジェクタの上壁及び下壁に対してディスプレイパネル及び蓋が突出することとなる。そのため、プロジェクタを机上に載置した場合の安定性及び、ディスプレイパネル及び蓋の信頼性の面で課題がある。
【０００６】
本発明は、上記課題に鑑みてなされたものであり、余分な光路長を必要とせず、光学部品の信頼性を確保して小型化を図ったプロジェクタを提供することを目的とする。
【課題を解決するための手段】
【０００７】
上述した目的を達成するために、本発明は、プロジェクタであって、光を射出する光源と、画像データに基づいて光源からの光を映像に変換する変換部を有する光学変換部と、光学変換部により変換された映像を拡大投写する投写レンズと、光源または投写レンズの少なくとも一方を移動して光路長を伸縮する移動部とを有することを特徴とする。
【０００８】
このようなプロジェクタによれば、移動部により、光源または投写レンズの少なくとも一方を移動することで光路長を伸縮する。従って、余分な光路長を必要とせず、光路長を短縮する（縮める）ことでプロジェクタのサイズを小さくすることができ、小型化が図れる。また、短縮した光路長を伸長して（伸ばして）元に戻すことができる。
【０００９】
上記プロジェクタにおいて、外装を構成する第１の筐体と第２の筐体とを有し、第２の筐体は、移動部と連動して第１の筐体に対して移動することが好ましい。
【００１０】
このようなプロジェクタによれば、第２の筐体が、移動部と連動して第１の筐体に対して移動するため、プロジェクタの小型化を図るための筐体を実現できると共に、光源などの光学部品を保護して信頼性を確保することができる。
【００１１】
上記プロジェクタにおいて、移動部は、プロジェクタが映像を投写するための適正な光路長となる位置を最大伸長位置として、また、光路長を短縮する所定の位置を最大短縮位置として、最大伸長位置と最大短縮位置との間を移動することが好ましい。
【００１２】
このようなプロジェクタによれば、移動部は、最大伸長位置と最大短縮位置との間を移動するため、移動のための余分な光路長を必要とせずに、光学設計上の適正な光路長の範囲内で適正な位置関係を保持して光路長を伸縮できる。それにより、プロジェクタの小型化が実現する。
【００１３】
上記プロジェクタにおいて、移動部が光源及び投写レンズを所定の位置関係を保持した状態で固定される固定部を更に有することが好ましい。
【００１４】
このようなプロジェクタによれば、移動部が外力により常に移動することを防止できる。それにより、光源及び投写レンズの信頼性を維持することができる。また、多段階に光路長を短縮または伸長して固定するプロジェクタを実現できる。
【００１５】
上記プロジェクタにおいて、移動部が最大伸長位置及び最大短縮位置において光源及び投写レンズを所定の位置関係を保持した状態で固定される固定部を更に有することが好ましい。
【００１６】
このようなプロジェクタによれば、移動部が外力により移動することを防止できる。それにより、光源及び投写レンズの信頼性を維持することができると共に、最大伸長位置において固定されるため、映像を投写する場合、安定した適正な映像を投写することができる。また、最大短縮位置において固定されるため、最大短縮位置での移動部の移動がなくなり、短縮してプロジェクタを携帯する場合の信頼性が向上する。また、短縮してプロジェクタを輸送・運搬することができるため、輸送・運搬における効率化と輸送・運搬におけるプロジェクタの品質の信頼性向上を図ることができる。
【００１７】
上述した目的を達成するために、本発明は、光学エンジンユニットであって、光を射出する光源と、画像データに基づいて光源からの光を映像に変換する変換部を有する光学変換部と、光学変換部により変換された映像を拡大投写する投写レンズと、光源または投写レンズの少なくとも一方を移動して光路長を伸縮する移動部とを有することを特徴とする。
【００１８】
このような光学エンジンユニットによれば、移動部により、光源または投写レンズの少なくとも一方を移動することで光路長を伸縮する。従って、余分な光路長を必要とせず、光路長を短縮することで光学エンジンユニットのサイズを小さくすることができ、小型化が図れる。また、短縮した光路長を伸長して元に戻すことができる。
【００１９】
上記光学エンジンユニットにおいて、移動部は、光学エンジンユニットが映像を投写させるための適正な光路長となる位置を最大伸長位置として、また、光路長を短縮する所定の位置を最大短縮位置として、最大伸長位置と最大短縮位置との間を移動することが好ましい。
【００２０】
このような光学エンジンユニットによれば、移動部は、最大伸長位置と最大短縮位置との間を移動するため、移動のための余分な光路長を必要とせずに、光学設計上の適正な光路長の範囲内で適正な位置関係を保持して光路長を伸縮できる。それにより、光学エンジンユニットの小型化が実現する。
【００２１】
上記光学エンジンユニットにおいて、移動部が光源及び投写レンズを所定の位置関係を保持した状態で固定される固定部を更に有することが好ましい。
【００２２】
このような光学エンジンユニットによれば、移動部が外力により常に移動することを防止できる。それにより、光源及び投写レンズの信頼性を維持することができる。また、多段階に光路長を短縮または伸長して固定する光学エンジンユニットを実現できる。
【００２３】
上記光学エンジンユニットにおいて、移動部が最大伸長位置及び最大短縮位置において光源及び投写レンズを所定の位置関係を保持した状態で固定される固定部を更に有することが好ましい。
【００２４】
このような光学エンジンユニットによれば、移動部が外力により移動することを防止できる。それにより、光源及び投写レンズの信頼性を維持することができると共に、最大伸長位置において固定されるため、映像を投写する場合、安定した適正な映像を投写することができる。また、最大短縮位置において固定されるため、最大短縮位置での移動部の移動がなくなり、短縮して光学エンジンユニットを輸送・運搬する場合の効率化と輸送・運搬における光学エンジンユニットの品質の信頼性向上を図ることができる。
【００２５】
上記プロジェクタにおいて、上記光学エンジンユニットを有することが好ましい。
【００２６】
このようなプロジェクタによれば、プロジェクタ本体における光学エンジンユニットの部分を小型化できる。
【００２７】
上記プロジェクタにおいて、プロジェクタの外装を構成する筐体は、第１の筐体と第２の筐体とを有し、第２の筐体は、光学エンジンユニットの移動部と連動して第１の筐体に対して移動することが好ましい。
【００２８】
このようなプロジェクタによれば、第２の筐体が、光学エンジンユニットの移動部と連動して移動するため、プロジェクタ本体における光学エンジンユニットの部分の小型化を図るための筐体を実現できると共に、光学エンジンユニットの有する光源などの光学部品を保護して信頼性を確保することができる。
【発明を実施するための最良の形態】
【００２９】
以下、本発明の実施形態を図面に基づいて説明する。
（実施形態）
【００３０】
図１は、本発明の実施形態に係るプロジェクタの概略斜視図であり、図１（ａ）は、プロジェクタの外形を最大に伸長した状態での斜視図であり、図１（ｂ）は、プロジェクタの外形を最も短縮した状態での斜視図である。図１を用いて、プロジェクタの構成を概略説明する。
【００３１】
図１（ａ）に示すように、プロジェクタ１は、プロジェクタ１の外装を構成する略直方体形状の筐体２を備えている。筐体２は、第１の筐体１０と第２の筐体２０とで構成される。また、筐体２は、プラスチック材料を主原料として形成される。第１の筐体１０は、上面側を構成する上ケース１１と、下面側を構成する下ケース１２とで構成される。
【００３２】
上ケース１１の上面部１ａには、筐体２内部に備えるスピーカ９４（後述する）からの音を報音する報音孔１３が形成されている。また、上ケース１１の上面部１ａは一部の領域が盛り上がった凸状部１４を形成しており、凸状部１４の上面部には、電源スイッチなどの操作部１５が備えられている。また、第１の筐体１０の前面部１ｂ及び背面部１ｃには、平面形状が概略コの字状の切欠部１６が形成されている。第１の筐体１０の左側面１ｄ中央部には、後述する投写レンズ５９を収容する投写レンズユニット８０が突出するための孔部１７が形成されている。
【００３３】
第２の筐体２０は、略直方体形状の箱状の形状を成し、後述する移動部１００に第２の筐体２０の内面部が固定されており、移動部１００と連動して移動することができるため、第１の筐体１０に対して第２の筐体２０を移動させることができる。第２の筐体２０の前面部１ｅ及び背面部１ｆには、断面三角形状が連続した一対の引掛け部２１が形成されている。
【００３４】
図１（ｂ）に示すように、第２の筐体２０を第１の筐体１０に対して投写レンズユニット８０方向に移動してプロジェクタ１の外形を短縮した場合、第１の筐体１０に形成した切欠部１６に囲まれる領域内に、第２の筐体２０に形成した引掛け部２１が配置される位置関係となる。
【００３５】
本実施形態では、図１（ａ）に示す図は、プロジェクタ１の外形を最大に伸長した状態での斜視図であると同時に、プロジェクタ１が映像を投写する状態の斜視図でもある。また、図１（ｂ）は、プロジェクタ１の外形を最も短縮してプロジェクタ１を小型化した状態での斜視図であると同時に、プロジェクタ１を携帯する場合の斜視図でもある。
【００３６】
本実施形態でのプロジェクタ１の外形形状の大きさに関して、図１（ａ）に示すように、プロジェクタ１の外形を最大に伸長した状態での外形形状の大きさは、投写レンズユニット８０を除いた場合、概略、１００ｍｍ×５０ｍｍ×５０ｍｍ（Ｘ方向×Ｙ方向×Ｚ方向）となる。また、図１（ｂ）に示すように、プロジェクタ１の外形を最も短縮した状態での外形形状の大きさは、概略、７５ｍｍ×５０ｍｍ×５０ｍｍ（Ｘ方向×Ｙ方向×Ｚ方向）となる。本実施形態のプロジェクタ１は、容積で約２５％もの小型化が図られている。
【００３７】
なお、図１（ａ）及び図１（ｂ）の状態は、後述する固定部１４０により、移動部１００が固定されるため、第２の筐体２０が、第１の筐体１０に対して固定され、外力により移動することを防止している。
【００３８】
図２は、プロジェクタの回路構成を示すブロック図である。図２を用いて、プロジェクタ１の回路構成及び動作を説明する。
【００３９】
プロジェクタ１は、パソコン（パーソナルコンピュータ）３と無線により接続される。そして、プロジェクタ１は、アンテナ３０、通信部３１、信号変換部３２、画像処理部３３、ＬＣＤ（Liquid Crystal Display）駆動部３４、光学構成部５０、ＬＥＤ（Light Emitting Diode）制御部３９、音声処理部３５、増幅部３６、スピーカ部３７、電源コネクタ４０及びプロジェクタ１の動作全体を統括制御する制御部３８などから構成される。
【００４０】
プロジェクタ１は、光学構成部５０として、光源５１と、光学変換部５４と、投写レンズ５９とを有して構成される。光源５１は、発光源としてのＬＥＤ光源５２と、集光レンズ５３とを有して構成される。光学変換部５４は、コリメータレンズ５７と、伸張レンズ５８と、変換部５５としての液晶ライトバルブ５６とを有して構成される。
【００４１】
次に、プロジェクタ１の動作を説明する。
プロジェクタ１は、アンテナ３０及び通信部３１により、パソコン３からの符号化された画像データ（静止画像データ及び動画像データ）や音声データなどを受信する。受信した画像データや音声データは、信号変換部３２により、複合化され、画像データは、画像処理部３３に出力され、音声データは、音声処理部３５に出力される。
【００４２】
画像処理部３３は、信号変換部３２から入力した画像データに、フレームレート変換およびスケーリング処理などを行う。また、画像処理部３３は、画像データにブライトネス調整、コントラスト調整、ガンマ補正処理などの各種の画像補正も併せて行う。このように加工された画像データは、投写用映像信号としてＬＣＤ駆動部３４に出力される。ＬＣＤ駆動部３４は、画像処理部３３から入力した投写用映像信号に基づき、液晶ライトバルブ５６を駆動する。
【００４３】
音声処理部３５は、信号変換部３２から入力したデジタル信号である音声データを、アナログ信号に変換し、増幅部３６により増幅し、スピーカ部３７により音声として報音孔１３（図１参照）を介して報音する。
【００４４】
ＬＥＤ制御部３９は、制御部３８の信号に基づいて、ＬＥＤ光源５２の輝度調光を行う。具体的には、画像のシーンに対応させて、ＬＥＤ光源５２を駆動する駆動周波数やデューティー比を変化させている。これにより、明るいシーンでは、駆動周波数を上げるまたはデューティー比の「ＯＮ」時間を長くすることにより、ＬＥＤ光源５２を明るく発光させる。また、暗いシーンでは、逆に、駆動周波数を下げるまたはデューティー比の「ＯＮ」時間を短くすることにより、ＬＥＤ光源５２の発光を抑えて暗くさせる制御を行う。なお、ＬＥＤ光源５２は、白色光（すべての色の光を含む）を発光させる。
【００４５】
集光レンズ５３は、ＬＥＤ光源５２で発光した光を効率よく前方に射出させる。コリメータレンズ５７は、光源５１から射出された光を平行光に変換して射出する。伸張レンズ５８は、コリメータレンズ５７から射出された平行光を液晶ライトバルブ５６の所定の入射光領域（図示省略）のサイズに合せて伸張して射出する。
【００４６】
液晶ライトバルブ５６は、本実施形態では、透過型カラー液晶パネルを用いており、ＬＣＤ駆動部３４の信号に基づいて駆動し、伸張レンズ５８から射出された光を変調して映像に変換する。なお、液晶ライトバルブ５６は、透過型液晶パネルに限定されることなく、反射型液晶パネルやデジタルマイクロミラーデバイス等を用いることもできる。
【００４７】
投写レンズ５９は、数種類のレンズから構成されており、液晶ライトバルブ５６により変調され生成された映像を拡大して、プロジェクタ１の外部に射出する。このようにして、プロジェクタ１は、プロジェクタ１の外部に設置したスクリーン１５０などの投影面に映像を拡大投写する。
【００４８】
プロジェクタ１を駆動するための電力は、プロジェクタ１本体とは別に備える電源アダプタ（図示省略）を介して供給される。それにより、電源コネクタ４０を備えて、電源アダプタの電源ジャック４と接続される。
【００４９】
図３は、プロジェクタの外形を最大に伸長した状態における概略断面図であり、図３（ａ）は、プロジェクタの上面側からの概略断面図であり、図３（ｂ）は、図３（ａ）のＡ−Ａ断面図である。図４は、図３（ａ）のＡ−Ａ断面の別の断面図である。図５は、プロジェクタの外形を最も短縮した状態の概略断面図であり、図５（ａ）は、プロジェクタの上面側からの概略断面図であり、図５（ｂ）は、図５（ａ）のＢ−Ｂ断面図である。図６は、図５（ａ）のＢ−Ｂ断面の別の断面図である。図３から図６を用いて、プロジェクタ１の構成及び動作を説明する。
【００５０】
プロジェクタ１は、ベースフレーム１３０と、光源ユニット移動フレーム１１０と、変換部移動フレーム１２０とを基本フレームとして構成される。そして、光源ユニット移動フレーム１１０は、光源ユニット６０を収容し、変換部移動フレーム１２０は、ライトバルブユニット７０を収容する。そして、ベースフレーム１３０は、投写レンズユニット８０を固定すると共に、光源ユニット移動フレーム１１０及び変換部移動フレーム１２０を移動可能に収容する構成となっている。
【００５１】
上記の構成により、光源ユニット６０とライトバルブユニット７０との間の光路長、及び、ライトバルブユニット７０と投写レンズユニット８０との間の光路長を伸縮する構造となる。
【００５２】
なお、光路長とは、光が進む幾何学的な長さ（ｓ）に、光がその中を進んでいる媒質の屈折率（ｎ）を掛け算したもの（ｎｓ）である。しかし、本発明は、コリメータレンズ５７や伸張レンズ５８などのレンズの厚さや材質などを変化させるものではないため、本発明で使用する光路長は、ＬＥＤ光源５２から、投写レンズ５９迄の直線的な物理的距離として便宜上理解しても差支えない。また、プロジェクタ１が映像を投写するために必要な光学設計上の光路長が、プロジェクタ１の外形を最大に伸長したときの状態であり、図１（ａ）、図３及び図４に示される図がその状態での図である。
【００５３】
次に、各フレームの構成及び動作を説明する。
【００５４】
ベースフレーム１３０に関して、構成及び動作を説明する。
ベースフレーム１３０は、平面形状が概略コの字状を成し、光学構成移動部１３１と、ベースフレーム取付部１３３と、投写レンズユニット固定部１３２とで構成される。また、ベースフレーム１３０は、アルミニウム合金で形成される。
【００５５】
光学構成移動部１３１は、ベースフレーム１３０の両サイドを構成し、対称形状となる光学構成移動部１３１ａ及び光学構成移動部１３１ｂから成る。そして、光学構成移動部１３１ａ及び光学構成移動部１３１ｂの相対する側面には、凹部を成す移動用溝１３４（１３４ａ，１３４ｂ）がそれぞれ形成される。移動用溝１３４（１３４ａ，１３４ｂ）は、光学構成移動部１３１の長手方向の一方の端面側を開放し、他方の端面側を閉じて形成されている。移動用溝１３４の閉じた部分の面が溝端部１３６（１３６ａ，１３６ｂ）と成る。このように形成された移動用溝１３４（１３４ａ，１３４ｂ）により、変換部移動フレーム１２０及び光源ユニット移動フレーム１１０は保持されて移動することができる。光学構成移動部１３１は、移動部１００（図３から図６には、移動部１００としての付記は省略）としての働きを行う。
【００５６】
ベースフレーム取付部１３３は、光学構成移動部１３１（１３１ａ，１３１ｂ）のそれぞれのサイドに構成される。そして、ベースフレーム取付部１３３ａ，１３３ｂには、ベースフレーム取付用孔１３７がそれぞれ２箇所ずつ形成される。ベースフレーム取付部１３３は、ベースフレーム取付用孔１３７を介して、下ケース１２の所定の場所にベースフレーム取付ネジ１３８により取付けられる。それにより、ベースフレーム１３０は下ケース１２に固定される。
【００５７】
投写レンズユニット固定部１３２は、ベースフレーム１３０の両サイドをつなぐ部分で上面方向に突出させて構成される。そして、投写レンズユニット固定部１３２は、後述する投写レンズユニット８０を案内して取付け、投写レンズフレーム取付ネジ８２により投写レンズユニット固定部１３２にネジ締めすることで投写レンズユニット８０を固定する。
【００５８】
投写レンズユニット８０は、各種のレンズから構成される投写レンズ５９と、円筒形状の投写レンズフレーム８１とで構成される。また、投写レンズフレーム８１は、投写レンズ５９を所定の位置に収容する投写レンズ収容フレーム８１ａと、投写レンズユニット８０を投写レンズユニット固定部１３２に固定する投写レンズ取付部８１ｂとで構成される。また、投写レンズユニット８０は、焦点調整及びズーム調整が可能であり、ユーザは、投写レンズフレーム８１に構成されるそれぞれの調整用回転部（図示省略）を回転することにより調整することができる。
【００５９】
次に、光源ユニット移動フレーム１１０に関して、構造及び動作を説明する。
光源ユニット移動フレーム１１０は、平面形状が概略矩形で、中央部に穴が形成された形状を成し、光源ユニット移動部１１２と、光源ユニット収容部１１４と、突起部１１５とで構成される。また、光源ユニット移動フレーム１１０は、アルミニウム合金で形成される。
【００６０】
光源ユニット移動部１１２は、光源ユニット移動フレーム１１０の両サイドを構成し、対称形状となる光源ユニット移動部１１２ａ及び光源ユニット移動部１１２ｂから成る。そして、ベースフレーム１３０の光学構成移動部１３１に形成した移動用溝１３４（１３４ａ，１３４ｂ）にそれぞれ案内され移動自在と成る。光源ユニット移動部１１２は、移動部１００を構成している。
【００６１】
光源ユニット収容部１１４は、光源ユニット移動フレーム１１０の両サイドをつなぐ部分であって、投写レンズユニット８０側で上面方向に突出させて構成している。そして、光源ユニット収容部１１４は、後述する光源ユニット６０を所定の位置に収容して固定する。
【００６２】
突起部１１５は、光源ユニット移動フレーム１１０の両サイドをつなぐ部分であって、光源ユニット収容部１１４に相対する側で、光源ユニット収容部１１４と同様に、上面方向に突出させて構成されている。そして、突起部１１５は、接続部材２２により、第２の筐体２０の内面側と接続されて、第２の筐体２０を保持して固定する。接続部材２２は、本実施形態では接着剤を用いているが、ネジなどにより第２の筐体２０を固定しても良い。
【００６３】
なお、光源ユニット６０は、光源５１と、光学変換部５４を構成するコリメータレンズ５７及び伸張レンズ５８と、光源ユニットケース６１とで構成される。光源ユニット６０は、光源５１と、コリメータレンズ５７と、伸張レンズ５８とを光源ユニットケース６１の所定の位置に収容してユニット化したものである。
【００６４】
上記構成により、光源ユニット移動フレーム１１０は、光源ユニット６０を収容して固定し、光源ユニット移動部１１２が、ベースフレーム１３０の有する光学構成移動部１３１に形成した移動用溝１３４に案内され、光路長を伸縮自在に移動することができる。
【００６５】
次に、変換部移動フレーム１２０に関して、構造及び動作を説明する。
変換部移動フレーム１２０は、平面形状が概略コの字状を成し、変換部用移動部１２２と、変換部用収容部１２４とで構成される。また、変換部移動フレーム１２０は、アルミニウム合金で形成される。
【００６６】
変換部用移動部１２２は、変換部移動フレーム１２０の両サイドを構成し、対称形状となる変換部用移動部１２２ａ及び変換部用移動部１２２ｂから成る。そして、ベースフレーム１３０の光学構成移動部１３１に形成した移動用溝１３４（１３４ａ，１３４ｂ）にそれぞれ案内され移動自在と成る。変換部用移動部１２２は、移動部１００を構成している。なお、変換部用移動部１２２（１２２ａ，１２２ｂ）のそれぞれの長手方向の先端部には、緩衝部材１２３が設置される。本実施形態では、ゴムを主原料とした緩衝部材１２３を使用している。
【００６７】
変換部用収容部１２４は、変換部移動フレーム１２０の両サイドをつなぐ部分であって、投写レンズユニット８０側で上面方向に突出させて構成している。そして、変換部用収容部１２４は、後述するライトバルブユニット７０を所定の位置に収容して固定する。
【００６８】
なお、ライトバルブユニット７０は、変換部５５としての液晶ライトバルブ５６と、液晶ライトバルブ５６を収容して固定するライトバルブフレーム７１とで構成される。また、液晶ライトバルブ５６は、フレキシブルなライトバルブケーブル７３を接続固定している。ライトバルブケーブル７３は、後述する回路基板９１に実装されるケーブルコネクタ９５と接続され、ＬＣＤ駆動部３４からの駆動信号を液晶ライトバルブ５６に伝える。液晶ライトバルブ５６は、ライトバルブケーブル７３からの駆動信号に基づいてカラー表示を行う。
【００６９】
上記構成により、変換部移動フレーム１２０は、ライトバルブユニット７０を収容して固定し、変換部用移動部１２２が、ベースフレーム１３０の有する光学構成移動部１３１に形成した移動用溝１３４に案内され、光路長を伸縮自在に移動することができる。
【００７０】
次に、ベースフレーム１３０、光源ユニット移動フレーム１１０及び変換部移動フレーム１２０の組立てに関して説明する。
【００７１】
最初に、投写レンズユニット８０をベースフレーム１３０の投写レンズユニット固定部１３２に固定する。また、変換部移動フレーム１２０の変換部用収容部１２４にライトバルブユニット７０を収容し固定する。また、光源ユニット移動フレーム１１０の光源ユニット収容部１１４に光源ユニット６０を収容し固定する。
【００７２】
次に、ベースフレーム１３０のベースフレーム取付部１３３を第１の筐体１０を構成する下ケース１２の内面側の所定の場所に固定する。その後、ベースフレーム１３０の移動用溝１３４に変換部移動フレーム１２０の変換部用移動部１２２を挿入する。その後、同様にベースフレーム１３０の移動用溝１３４に光源ユニット移動フレーム１１０の光源ユニット移動部１１２を挿入する。
【００７３】
上記、組立てにより、変換部移動フレーム１２０及び光源ユニット移動フレーム１１０は、ベースフレーム１３０に対して移動可能となる。
【００７４】
図３（ｂ）に示すように、回路ユニット９０に関して構造及び構成を概略説明する。
回路ユニット９０は、図２で示したプロジェクタ１の回路ブロックの各回路部を構成する素子を回路基板９１に実装したものである。そして、回路ユニット９０は、第１の筐体１０を形成する上ケース１１の内面側の所定の位置に収容され固定される。
【００７５】
回路ユニット９０は、回路基板９１をベースとして、各回路部を構成する素子であるＣＰＵ（Central Processing Unit）９２や、電源コネクタ４０を構成するコネクタ９３や、スピーカ部３７を構成するスピーカ９４や、ライトバルブケーブル７３を接続するケーブルコネクタ９５などが実装される。
【００７６】
また、上ケース１１の凸状部１４の内面側に対向する回路基板９１の領域には、部品高さが高い素子を配置することで、プロジェクタ１の外形を極力小型化している。特に、コネクタ９３は、回路基板９１の縁部に位置して、凸状部１４の側面壁に孔を設けて、外部の電源アダプタからの電源ジャック４と接続される。その他の回路素子は図示を省略している。
【００７７】
図３（ａ）、図４、図５（ａ）、図６に示すように、光源ユニット移動フレーム１１０には、変換部用牽引部１１９が形成され、変換部移動フレーム１２０には、変換部用被牽引部１２９が形成されている。それぞれの牽引部に関して構成を説明する。
【００７８】
変換部用牽引部１１９は、光源ユニット移動フレーム１１０を構成する光源ユニット収容部１１４の平面中央部で投写レンズユニット８０側に突出して設けられている。そして、変換部用牽引部１１９は、平面方形の牽引ベース部１１９ａと、牽引ベース部１１９ａの先端部に位置して下方に突出する牽引引掛け部１１９ｂと、牽引引掛け部１１９ｂの突出した側面で投写レンズユニット８０と逆側に固定設置される２つの牽引緩衝バネ１１９ｃとで構成される。
【００７９】
変換部用被牽引部１２９は、変換部移動フレーム１２０を構成する変換部用収容部１２４の平面中央部に投写レンズユニット８０と逆側に突出して設けられている。そして、変換部用被牽引部１２９は、平面方形の被牽引ベース部１２９ａと、被牽引ベース部１２９ａの先端部に位置して上方に突出する被牽引引掛け部１２９ｂとで構成される。
【００８０】
なお、変換部用牽引部１１９及び変換部用被牽引部１２９は、対向する位置関係に設置され、光路長を最短に縮めた状態から投写する位置に伸長する場合に使用する部材であり、相互の動作に関しては後述する。
【００８１】
図３に示すように、プロジェクタ１の外形を最大に伸長した状態において、光源ユニット移動フレーム１１０及び変換部移動フレーム１２０をベースフレーム１３０に対して固定するために、固定部１４０（図３には、固定部１４０としての付記は省略）が形成される。
【００８２】
光源ユニット移動フレーム１１０及びベースフレーム１３０に形成する固定部１４０について説明する。
固定部１４０は、光源ユニット移動フレーム１１０を構成する光源ユニット移動部１１２ａ，１１２ｂと、ベースフレーム１３０を構成する光学構成移動部１３１ａ，１３１ｂに形成した移動用溝１３４ａ，１３４ｂとの対向する側面に形成される。
【００８３】
光源ユニット移動部１１２ａ，１１２ｂには、固定部１４０として、固定用溝１１６（１１６ａ，１１６ｂ）、固定用凸部１１７（１１７ａ，１１７ｂ）、固定用バネ１１８（１１８ａ，１１８ｂ）が１セットずつ形成され、移動用溝１３４ａ，１３４ｂには、固定用凸部１１７に対向する位置に、固定用凹部１３５（１３５ａ，１３５ｂ）が一対形成される。なお、固定用溝１１６（１１６ａ，１１６ｂ）及び固定用バネ１１８（１１８ａ，１１８ｂ）は、固定部１４０の構成及び動作として図７で説明を行う。
【００８４】
変換部移動フレーム１２０及びベースフレーム１３０に形成する固定部１４０について説明する。
固定部１４０は、変換部移動フレーム１２０を構成する変換部用移動部１２２（１２２ａ，１２２ｂ）と、ベースフレーム１３０を構成する光学構成移動部１３１に形成した移動用溝１３４ａ，１３４ｂとの対向する側面に形成される。
【００８５】
変換部用移動部１２２ａ，１２２ｂには、固定部１４０として、固定用溝１２６（１２６ａ，１２６ｂ）、固定用凸部１２７（１２７ａ，１２７ｂ）、固定用バネ１２８（１２８ａ，１２８ｂ）が１セットずつ形成され、移動用溝１３４ａ，１３４ｂには、固定用凸部１２７に対向する位置に、固定用凹部１３５（１３５ｃ，１３５ｄ）が一対形成される。なお、固定用溝１２６（１２６ａ，１２６ｂ）及び固定用バネ１２８（１２８ａ，１２８ｂ）は、固定部１４０の構成及び動作として図７で説明を行う。
【００８６】
図５に示すように、プロジェクタ１の外形を最も短縮した状態においても、光源ユニット移動フレーム１１０をベースフレーム１３０に対して固定するために、固定部１４０（図５には、固定部１４０としての付記は省略）が形成される。
【００８７】
この状態での固定部１４０は、光源ユニット移動部１１２ａ，１１２ｂに形成された固定用溝１１６（１１６ａ，１１６ｂ）、固定用凸部１１７（１１７ａ，１１７ｂ）、固定用バネ１１８（１１８ａ，１１８ｂ）を使用し、移動用溝１３４ａ，１３４ｂには、最も短縮した状態における、固定用凸部１１７に対向する位置に、固定用凹部１３５（１３５ｅ，１３５ｆ）が一対形成される。なお、固定用溝１１６（１１６ａ，１１６ｂ）及び固定用バネ１１８（１１８ａ，１１８ｂ）は、固定部１４０の構成及び動作として図７で説明を行う。
【００８８】
図７は、図３（ａ）に示すＣ部の固定部における拡大断面図であり、図７（ａ）は、固定部により固定された状態の図であり、図７（ｂ）は、固定部が移動する状態の図である。図７を用いて、固定部１４０の詳細な構成及び動作を説明する。
【００８９】
図７に示すように、固定部１４０は、光源ユニット移動フレーム１１０を構成する光源ユニット移動部１１２（１１２ｂ）とベースフレーム１３０を構成する光学構成移動部１３１（１３１ｂ）に形成した移動用溝１３４（１３４ｂ）との対向する側面に形成される。
【００９０】
光源ユニット移動部１１２（１１２ｂ）には、円柱形状の凹部となる固定用溝１１６（１１６ｂ）が形成され、固定用溝１１６（１１６ｂ）の内部に、固定用バネ１１８（１１８ｂ）を収容し、その後、一方は半球面凸形状を有し、他方は円柱形状を有する固定用凸部１１７（１１７ｂ）を、円柱形状を有する側を固定用バネ１１８（１１８ｂ）と当接するように収容する。なお、固定用バネ１１８（１１８ｂ）と固定用凸部１１７（１１７ｂ）とは、別部材を用いて一体のユニットとして構成しても良い。
【００９１】
固定用凸部１１７（１１７ｂ）に対向する移動用溝１３４（１３４ｂ）の側面には、固定用凸部１１７の半球面形状部分より若干大きい半球面凹形状を成す固定用凹部１３５（１３５ｂ）が形成される。
【００９２】
図７（ａ）に示すように、上述した固定部１４０の構成により、固定用凸部１１７（１１７ｂ）は、固定用溝１１６（１１６ｂ）に収容する固定用バネ１１８（１１８ｂ）を若干押圧する状態で、固定用凸部１１７（１１７ｂ）の半球面凸形状部分が固定用凹部１３５（１３５ｂ）の半球面凹形状部分を押圧する。それにより、光源ユニット移動フレーム１１０は、ベースフレーム１３０に固定することが可能となる。
【００９３】
図７（ｂ）に示すように、光源ユニット移動フレーム１１０を、ベースフレーム１３０に対して移動するためには、固定用凹部１３５（１３５ｂ）の深さＤを固定用凸部１１７（１１７ｂ）が固定用バネ１１８（１１８ｂ）を更に押縮して乗り越えるだけの力を光源ユニット移動フレーム１１０に加える必要がある。この力が固定部１４０の固定力に相当する。
【００９４】
光源ユニット移動フレーム１１０に力を加えて移動させるには、実際には、光源ユニット移動フレーム１１０と接続される第２の筐体２０に形成した引掛け部２１を押圧しながら第２の筐体２０を移動させることで可能となる。
【００９５】
なお、光源ユニット移動部１１２ａに形成する固定用溝１１６ａ、固定用凸部１１７ａ、固定用バネ１１８ａ及び移動用溝１３４ａに形成する固定用凹部１３５ａも上述したと同様に形成され動作する。上述したように、固定部１４０は構成され動作する。
【００９６】
また、その他の固定部１４０である変換部移動フレーム１２０を構成する変換部用移動部１２２に形成される固定用溝１２６、固定用凸部１２７及び固定用バネ１２８も上記光源ユニット移動フレーム１１０の固定用溝１１６、固定用凸部１１７及び固定用バネ１１８と同様に形成され動作する。また、ベースフレーム１３０を構成する光学構成移動部１３１の移動用溝１３４の固定用凹部１３５（１３５ｃ〜１３５ｆ）も同様に形成され動作する。
【００９７】
上述した固定部１４０の構成及び動作により、ベースフレーム１３０に対して、光源ユニット移動フレーム１１０及び変換部移動フレーム１２０を移動させ固定することができる。
【００９８】
次に、図３から図６を用いて、ベースフレーム１３０に対して光源ユニット移動フレーム１１０及び変換部移動フレーム１２０が移動する具体的な移動方法を詳細に説明する。
【００９９】
図３及び図４に示すプロジェクタ１の外形を最大に伸長した状態（光路長を最大に伸長した状態）から、図５及び図６に示すプロジェクタ１の外形を最も短縮する状態（光路長を最も短縮する状態）に至るまでの説明を行う。
【０１００】
第２の筐体２０の引掛け部２１を押圧しながら、外形を縮める方向（投写レンズユニット８０側）に力を加える。これにより、第２の筐体２０が接続される光源ユニット移動フレーム１１０に力が加わり、光源ユニット移動フレーム１１０を構成する光源ユニット移動部１１２ａ，１１２ｂに形成した固定部１４０としての固定用凸部１１７ａ，１１７ｂが、ベースフレーム１３０を構成する光学構成移動部１３１ａ，１３１ｂの移動用溝１３４ａ，１３４ｂに形成する固定用凹部１３５ａ，１３５ｂを加えられた力の方向に押圧する。
【０１０１】
加わる力が上述した固定力以上になった場合、図７（ｂ）に示す状態となり、第２の筐体２０が移動を開始する。同時に第２の筐体２０に連動する光源ユニット移動フレーム１１０が移動を開始する。このとき、光源ユニット６０を収容固定した光源ユニット移動フレーム１１０は、移動用溝１３４ａ，１３４ｂに光源ユニット移動部１１２ａ，１１２ｂがそれぞれ案内されながら移動する。
【０１０２】
そして、第２の筐体２０を移動し続けると、変換部移動フレーム１２０を構成する変換部用移動部１２２ａ，１２２ｂの先端に設置した緩衝部材１２３に、光源ユニット移動部１１２ａ，１１２ｂの先端が当接する。その状態から、第２の筐体２０に移動方向へ力を加えることにより、変換部移動フレーム１２０を構成する変換部用移動部１２２ａ，１２２ｂに形成した固定部１４０としての固定用凸部１２７ａ，１２７ｂが、移動用溝１３４ａ，１３４ｂに形成する固定用凹部１３５ｃ，１３５ｄを加えられた力の方向に押圧する。
【０１０３】
加わる力が上述した固定力以上になった場合、第２の筐体２０（光源ユニット移動フレーム１１０）の移動に連動して、ライトバルブユニット７０を収容固定した変換部移動フレーム１２０は、移動用溝１３４ａ，１３４ｂに変換部用移動部１２２ａ，１２２ｂがそれぞれ案内されながら移動する。
【０１０４】
上記のように第２の筐体２０を移動（光源ユニット移動フレーム１１０及び変換部移動フレーム１２０も連動して移動）させて、光源ユニット移動部１１２ａ，１１２ｂに形成した固定用凸部１１７ａ，１１７ｂが、移動用溝１３４ａ，１３４ｂに形成する固定用凹部１３５ｅ，１３５ｆに位置することで、光源ユニット移動フレーム１１０が固定される。
【０１０５】
このとき、変換部移動フレーム１２０の変換部用移動部１２２ａ，１２２ｂは、移動用溝１３４ａ，１３４ｂの溝端部１３６ａ，１３６ｂと一端をそれぞれ当接し、また、他端は、緩衝部材１２３を介して光源ユニット移動フレーム１１０の光源ユニット移動部１１２ａ，１１２ｂから、押圧されながら保持される。これにより、変換部移動フレーム１２０は、ベースフレーム１３０に対して固定される。
【０１０６】
また、この状態で、光源ユニット移動フレーム１１０の光源ユニット収容部１１４に形成される変換部用牽引部１１９は、変換部移動フレーム１２０と緩衝しない位置設定となっている。
【０１０７】
上述した一連の動作により、ベースフレーム１３０に対して光源ユニット移動フレーム１１０及び変換部移動フレーム１２０を所定の位置に固定し、図５及び図６に示すように、プロジェクタ１の外形を最大に短縮することができる。また、この状態が、光路長を最も短縮した状態となる。ユーザは、プロジェクタ１の外形を最も短縮した状態（光路長を最も短縮した状態）で、プロジェクタ１を携帯して持ち運ぶことや、保管することができる。
【０１０８】
次に、図５及び図６に示すプロジェクタ１の外形を最も短縮した状態（光路長を最も短縮した状態）から、図３及び図４に示すプロジェクタ１の外形を最大に伸長する状態（光路長を最大に伸長する状態）に至るまでの説明を行う。
【０１０９】
第２の筐体２０の引掛け部２１を押圧しながら、外形を伸長する方向（投写レンズユニット８０と逆側）に力を加える。これにより、第２の筐体２０が接続される光源ユニット移動フレーム１１０に力が加わり、光源ユニット移動フレーム１１０の固定用凸部１１７ａ，１１７ｂが、ベースフレーム１３０の固定用凹部１３５ｅ，１３５ｆをそれぞれ加えられた力の方向に押圧する。
【０１１０】
加わる力が固定力以上になった場合、図７（ｂ）に示す状態となり、第２の筐体２０が移動を開始する。同時に第２の筐体２０に連動する光源ユニット移動フレーム１１０が移動を開始する。このとき、変換部移動フレーム１２０はそのままの位置を保持している。
【０１１１】
そして、第２の筐体２０を移動し続けると、光源ユニット移動フレーム１１０の光源ユニット収容部１１４に形成される変換部用牽引部１１９も移動し、牽引引掛け部１１９ｂに設置される牽引緩衝バネ１１９ｃが、変換部移動フレーム１２０の変換部用収容部１２４に形成される変換部用被牽引部１２９の被牽引引掛け部１２９ｂに当接する。
【０１１２】
その状態で、第２の筐体２０を移動し続けると、牽引緩衝バネ１１９ｃは、被牽引引掛け部１２９ｂにより押圧され、押圧により牽引緩衝バネ１１９ｃが押縮され、押縮された力が、変換部移動フレーム１２０を移動できる力以上になると、第２の筐体２０の移動に連動して、変換部移動フレーム１２０が移動を開始する。変換部移動フレーム１２０が移動を開始すると、牽引緩衝バネ１１９ｃの押縮は緩和される。
【０１１３】
その状態で、第２の筐体２０を移動（光源ユニット移動フレーム１１０及び変換部移動フレーム１２０も連動して移動）し続けることで、最初に、変換部移動フレーム１２０の固定用凸部１２７ａ，１２７ｂが、移動用溝１３４ａ，１３４ｂに形成する固定用凹部１３５ｃ，１３５ｄに位置することで、変換部移動フレーム１２０が固定される。この状態では、光源ユニット移動フレーム１１０はまだ固定されない。
【０１１４】
変換部移動フレーム１２０が固定された状態で、第２の筐体２０を移動することにより、牽引緩衝バネ１１９ｃが押縮される。牽引緩衝バネ１１９ｃが完全に押縮される手前の位置で、光源ユニット移動部１１２ａ，１１２ｂに形成した固定用凸部１１７ａ，１１７ｂが、移動用溝１３４ａ，１３４ｂに形成する固定用凹部１３５ａ，１３５ｂに位置する。それにより、光源ユニット移動フレーム１１０が固定される。
【０１１５】
なお、牽引緩衝バネ１１９ｃは、ベースフレーム１３０に形成する固定用凹部１３５と、光源ユニット移動フレーム１１０及び変換部移動フレーム１２０に形成する固定用溝１１６及び固定用溝１２６の製造時における位置精度のバラツキや、使用時における移動の仕方のバラツキなどによる固定不良を防止する目的で採用している。
【０１１６】
上述した一連の動作により、ベースフレーム１３０に対して光源ユニット移動フレーム１１０及び変換部移動フレーム１２０を所定の位置に固定し、図３及び図４に示すように、プロジェクタ１の外形を最大に伸長することができる。また、この状態が、光路長を最大に伸長した状態となる。また、ユーザは、プロジェクタ１の外形を最大に伸長した状態（光路長を最大に伸長した状態）で、操作部１５の電源スイッチを操作して、プロジェクタ１に映像を投写させることができる。
【０１１７】
上述した、実施形態によれば以下の効果が得られる。
（１）本実施形態によれば、光源ユニット移動フレーム１１０は、光源ユニット６０を収容し、変換部移動フレーム１２０は、ライトバルブユニット７０を収容する。そして、移動部１００を構成するベースフレーム１３０の移動用溝１３４に、光源ユニット移動フレーム１１０の移動部１００を構成する光源ユニット移動部１１２及び変換部移動フレーム１２０の移動部１００を構成する変換部用移動部１２２を案内している。これにより、光源ユニット移動フレーム１１０及び変換部移動フレーム１２０が、ベースフレーム１３０に対して移動自在となり、光路長を伸縮することができる。光路長を短縮することにより、プロジェクタ１のサイズを小さくすることができ、プロジェクタ１の小型化が実現できる。
【０１１８】
（２）本実施形態によれば、移動部１００を構成するベースフレーム１３０が第１の筐体１０に固定され、第２の筐体２０が、移動部１００を構成する光源ユニット移動フレーム１１０に固定されるため、第２の筐体２０を第１の筐体１０に対して移動することにより、光源ユニット移動フレーム１１０を移動させることができる。また、光源ユニット移動フレーム１１０の移動に連動させて変換部移動フレーム１２０を移動させることができる。これにより、プロジェクタ１の小型化を図るための筐体２を実現することができると共に、光学構成部５０を構成する光源５１などの光学部品を保護して信頼性を確保することができる。
【０１１９】
（３）本実施形態によれば、プロジェクタ１の外形を最大に伸長した状態において光学構成部５０の固定される位置は、プロジェクタ１が映像を投写するための適正な光路長となる位置であり、この位置を最大伸長位置としている。また、プロジェクタ１の外形を最も短縮した状態において光学構成部５０の固定される位置は、光路長を短縮する所定の位置であり、プロジェクタ１を小型化した位置であり、この位置を最大短縮位置としている。その場合、移動部１００は、最大伸長位置と最大短縮位置との間を移動することができる。
【０１２０】
最大伸長位置と最大短縮位置との間を移動することにより、従来に比べ、移動のための余分な光路長を必要とせずに、光学設計上の適正な光路長の範囲内で適正な位置関係を保持して光路長を伸縮できる。それにより、最大短縮位置に光路長を短縮することでプロジェクタの小型化が実現すると同時に、最大伸長位置に光路長を伸長することで適正な映像を投写することができる。
【０１２１】
（４）本実施形態によれば、移動部１００が、最大伸長位置及び最大短縮位置において、光学構成部５０を所定の位置関係を保持した状態で、固定部１４０により保持固定することができる。それにより、外力が加わる場合においても、固定部１４０の固定力以内の外力である場合には、移動部１００の移動を防止することができる。
【０１２２】
また、移動部１００が、固定部１４０により最大伸張位置に固定されるため、映像を投写する場合、外力などによる振動などの影響を受けない安定した適正な映像を投写することができる。また、最大短縮位置において固定されるため、最大短縮位置での移動部１００の移動がなくなり、短縮してプロジェクタ１を携帯する場合の信頼性が向上する。また、短縮してプロジェクタ１を輸送・運搬することができるため、輸送・運搬における効率化と輸送・運搬におけるプロジェクタ１の品質の信頼性向上を図ることができる。
【０１２３】
なお、本発明は、上述した実施形態に限定されず、種々の変更や改良など加えることが可能である。変形例を以下に述べる。
【０１２４】
（変形例１）前記実施形態においては、光源５１などで構成される光源ユニット６０を収容する光源ユニット移動フレーム１１０を移動させて、光路長を伸縮している。しかし、これに限らず、投写レンズ５９で構成される投写レンズユニット８０を移動させて、光路長を伸縮しても良い。この場合、基本構造は前記実施形態と同様で、移動部１００であるベースフレーム１３０の移動用溝１３４を加工すると同時に、投写レンズユニット８０を固定する固定部１４０も合せて形成することにより実現できる。
【０１２５】
また、投写レンズユニット８０が筐体２の内部に移動できる構造とすることにより、プロジェクタ１の小型化が図れると同時に、投写レンズユニット８０を外部からの衝撃などに対して保護することが可能となり、投写レンズユニット８０の信頼性を向上することができる。それにより、プロジェクタ１の携帯における利便性を向上できる。
【０１２６】
（変形例２）前記実施形態においては、固定部１４０は、プロジェクタ１の外形を最大に伸長した状態（最大伸長位置）及びプロジェクタ１の外形を最も短縮した状態（最大短縮位置）の二段階の状態（位置）において光源ユニット移動フレーム１１０及び変換部移動フレーム１２０をベースフレーム１３０に固定している。しかしこれに限らず、最大伸長位置と最大短縮位置の間を多段階に固定することでも良い。この場合は、固定部１４０である固定用凹部１３５を移動用溝１３４に、多段階に対応する位置に、必要な個数分形成することで実現できる。
【０１２７】
（変形例３）前記実施形態においては、ベースフレーム１３０をベースとして、光源ユニット６０を収容する光源ユニット移動フレーム１１０及びライトバルブユニット７０を収容する変換部移動フレーム１２０を移動させ、光路長を伸縮している。しかし、これに限らず、ベースフレーム１３０としての機能を果たす構造物を第１の筐体１０の下ケース１２の内面部に構成しても良い。これにより、ベースフレーム１３０のような別部品が必要なくなり、部品点数を削減することができる。
【０１２８】
（変形例４）前記実施形態においては、筐体２は、第１の筐体１０と第２の筐体２０とで構成されて、第１の筐体１０に対して第２の筐体２０を移動させている。しかし、これに限らず、第１の筐体１０に開閉自在の蓋を設けることにより、光路長を伸長させる場合（例えば、映像を投写させる場合）には、蓋を開放して、第２の筐体２０を移動させる。また、光路長を短縮する場合（例えば、プロジェクタ１を携帯する場合）には、第２の筐体２０を、第１の筐体１０の内部に移動させて、蓋を閉じることでも良い。これにより、光学構成部５０を外力などから更に保護することができ、光学構成部５０の品質の信頼性を更に向上することができる。
【０１２９】
（変形例５）前記実施形態においては、投写レンズユニット８０を固定したベースフレーム１３０を下ケース１２に固定した後、光源ユニット６０を収容する光源ユニット移動フレーム１１０及びライトバルブユニット７０を収容する変換部移動フレーム１２０を組立てる方法を採用している。しかし、これに限らず、最初に、投写レンズユニット８０を固定したベースフレーム１３０を下ケース１２に固定せずに、ベースフレーム１３０をベースとして、光源ユニット６０を収容する光源ユニット移動フレーム１１０及びライトバルブユニット７０を収容する変換部移動フレーム１２０を組立てることで光学エンジンユニットとして構成し、その後、光学エンジンユニットを下ケースに固定することでも良い。この光学エンジンユニットの構成を用いることにより、プロジェクタ１の組立性を向上し、製造の効率化を図ることができる。
【０１３０】
また、光学エンジンユニットの構成を用いることにより、プロジェクタ１の移動部１００及び固定部１４０の信頼性を確保する場合、移動部１００及び固定部１４０が構成される光学エンジンユニットのみの信頼性を確保することで殆ど良いことになる。それにより、プロジェクタ１の信頼性確保のし易さの向上と移動部１００、固定部１４０及び光学構成部５０のアフターサービスを含むメンテナンス性の向上を図ることができる。
【０１３１】
また、光学エンジンユニットの構成を用いることにより、本実施形態と同様の効果を得ることができる。具体的には、移動部１００により光路長を伸縮して光源ユニット移動フレーム１１０及び変換部移動フレーム１２０を移動することができる。また、固定部１４０により最大伸長位置及び最大短縮位置において、光源ユニット移動フレーム１１０及び変換部移動フレーム１２０を固定することができる。また、光学エンジンユニットの構成を用いることにより、最大短縮位置において、光学エンジンユニットのサイズを小さくすることができ、光学エンジンユニットの小型化を図ることができる。同時に、光学エンジンユニットの輸送・運搬における効率化と輸送・運搬における光学エンジンユニットの品質の信頼性向上を図ることができる。
【０１３２】
（変形例６）変形例５での光学エンジンユニットを搭載して、プロジェクタ１を構成することにより、移動部１００、固定部１４０及び光学構成部５０のアフターサービスを含むメンテナンス性の向上を図ることができる。
【０１３３】
（変形例７）変形例５での光学エンジンユニットの構成において、投写レンズユニット８０を移動させて、光路長を伸縮しても良い。この場合、基本構造は前記光学エンジンユニットと同様であって、移動部１００であるベースフレーム１３０の移動用溝１３４を加工すると同時に、投写レンズユニット８０を固定する固定部１４０も合せて形成することにより実現できる。
【０１３４】
（変形例８）変形例７での光学エンジンユニットの構成を搭載して、プロジェクタ１を構成することにより、光学エンジンユニットの小型化が図れると同時に、投写レンズユニット８０を外部からの衝撃などに対して保護することが可能となり、投写レンズユニット８０の信頼性を向上することができる。それにより、プロジェクタ１の携帯における利便性を向上することができる。
【０１３５】
（変形例９）前記実施形態においては、筐体２を構成する第１の筐体１０及び第２の筐体２０は、プラスチック材料を主原料として形成されている。しかし、これに限らず、筐体２をアルミニウムやマグネシウムなどの合金を用いて形成することでも良い。これにより、筐体２の板厚をプラスチック材料に比べ薄くしても剛性を確保することができ、筐体２の信頼性を保持してプロジェクタ１の小型化を更に図ることができる。
【０１３６】
（変形例１０）前記実施形態においては、筐体２を構成する第１の筐体１０及び第２の筐体２０は、プラスチック材料を主原料として形成されている。しかし、これに限らず、筐体２を熱伝導率の高いアルミニウム、マグネシウム、銅などの合金を用いて形成することでも良い。
【０１３７】
これにより、光源５１で発生した熱を、アルミニウム合金で形成される光源ユニット移動フレーム１１０に伝導し、光源ユニット移動フレーム１１０に固定される第２の筐体２０に効率的に伝導することができる。また、光源ユニット移動フレーム１１０に伝導した熱を、光源ユニット移動フレーム１１０を固定するアルミニウム合金で形成されるベースフレーム１３０に伝導し、その熱を、ベースフレーム１３０が固定される第１の筐体１０に効率的に伝導させることができるため、プロジェクタ１の冷却効率を向上することができる。
【０１３８】
（変形例１１）前記実施形態においては、ベースフレーム１３０、光源ユニット移動フレーム１１０及び変換部移動フレーム１２０の材質は、剛性及び熱伝導の観点からアルミニウム合金を採用している。しかし、これに限らず、マグネシウム、銅などの合金を用いることでも良い。加工性や品質信頼性などを勘案して、選択することができる。
【０１３９】
（変形例１２）前記実施形態でのプロジェクタ１は、透過型液晶方式のプロジェクタである。しかし、これに限らず、ＤＬＰ（登録商標）（Digital Light Processing）方式、および、反射型液晶方式であるＬＣＯＳ（Liquid Crystal On Silicon）方式などを採用したプロジェクタであっても良い。
【図面の簡単な説明】
【０１４０】
【図１】本発明の実施形態に係るプロジェクタの概略斜視図であり、図１（ａ）は、プロジェクタの外形を最大に伸長した状態の斜視図であり、図１（ｂ）は、プロジェクタの外形を最も短縮した状態の斜視図。
【図２】プロジェクタの回路構成を示すブロック図。
【図３】プロジェクタの外形を最大に伸長した状態における概略断面図であり、図３（ａ）は、プロジェクタの上面側からの概略断面図であり、図３（ｂ）は、図３（ａ）のＡ−Ａ断面図。
【図４】図３（ａ）のＡ−Ａ断面の別の断面図。
【図５】プロジェクタの外形を最も短縮した状態の概略断面図であり、図５（ａ）は、プロジェクタの上面側からの概略断面図であり、図５（ｂ）は、図５（ａ）のＢ−Ｂ断面図。
【図６】図５（ａ）のＢ−Ｂ断面の別の断面図。
【図７】図３（ａ）に示すＣ部の固定部における拡大断面図であり、図７（ａ）は、固定部により固定された状態の図であり、図７（ｂ）は、固定部が移動する状態の図。
【符号の説明】
【０１４１】
１…プロジェクタ、２…筐体、３…パソコン、４…電源ジャック、１０…第１の筐体、１１…上ケース、１２…下ケース、１３…報音孔、１４…凸状部、１５…操作部、１６…切欠部、１７…孔部、２０…第２の筐体、２１…引掛け部、２２…接続部材、３０…アンテナ、３１…通信部、３２…信号変換部、３３…画像処理部、３４…ＬＣＤ駆動部、３５…音声処理部、３６…増幅部、３７…スピーカ部、３８…制御部、３９…ＬＥＤ制御部、４０…電源コネクタ、５０…光学構成部、５１…光源、５２…ＬＥＤ光源、５３…集光レンズ、５４…光学変換部、５５…変換部、５６…液晶ライトバルブ、５７…コリメータレンズ、５８…伸張レンズ、５９…投写レンズ、６０…光源ユニット、６１…光源ユニットケース、７０…ライトバルブユニット、７１…ライトバルブフレーム、７３…ライトバルブケーブル、８０…投写レンズユニット、８１…投写レンズフレーム、８１ａ…投写レンズ収容フレーム、８１ｂ…投写レンズ取付部、９０…回路ユニット、９１…回路基板、９３…コネクタ、９４…スピーカ、９５…ケーブルコネクタ、１００…移動部、１１０…光源ユニット移動フレーム、１１２…光源ユニット移動部、１１４…光源ユニット収容部、１１５…突起部、１１６…固定用溝、１１７…固定用凸部、１１８…固定用バネ、１１９…変換部用牽引部、１２０…変換部移動フレーム、１２２…変換部用移動部、１２３…緩衝部材、１２４…変換部用収容部、１２６…固定用溝、１２７…固定用凸部、１２８…固定用バネ、１２９…変換部用被牽引部、１３０…ベースフレーム、１３１…光学構成移動部、１３２…投写レンズユニット固定部、１３３…ベースフレーム取付部、１３４…移動用溝、１３５…固定用凹部、１３６…溝端部、１４０…固定部、１５０…スクリーン。
【図１】
2006178138.tif 000003
【図２】
2006178138.tif 000004
【図３】
2006178138.tif 000005
【図４】
2006178138.tif 000006
【図５】
2006178138.tif 000007
【図６】
2006178138.tif 000008
【図７】
2006178138.tif 000009